(57)【要約】【課題】ダミーカメラ本体にサウンド出力機能を設け、聴覚的にあたかも動作しているかのように認識させる監視用ダミーカメラを提供することにある。【解決手段】ダミーカメラ本体３０ａに、人の存在を感知する人感知センサー８と、所定のサウンドメッセージを登録し再生するサウンドユニット１，２，３及びサウンド出力手段４，５と、前記人感知センサー８の反応に基づいて前記サウンドユニット及びサウンド出力手段をコントロールしサウンドメッセージを出力させる制御処理部６とを備えた。【選択図】図１
2009181377.tif 000002
【特許請求の範囲】
【請求項１】
ダミーカメラの本体に、人の存在を感知する人感知センサーと、所定のサウンドメッセージを登録し再生するサウンドユニット及びサウンド出力手段と、前記人感知センサーの反応に基づいて前記サウンドユニット及びサウンド出力手段をコントロールしてサウンドメッセージを出力させる制御処理部とを備えたことを特徴とする監視用ダミーカメラ。
【請求項２】
ダミーカメラ本体に、人の存在を感知する人感知センサーと、所定のサウンドメッセージを登録し再生するサウンドユニット及びサウンド出力手段と、前記人感知センサーの反応に基づいて前記サウンドユニット及びサウンド出力手段をコントロールしてサウンドメッセージを出力させる制御処理部とを備え、かつダミーカメラ本体の外部の所定位置に前記制御処理部と接続された外部センサーを有することを特徴とする監視用ダミーカメラ。
【請求項３】
前記人感知センサー及びサウンドメッセージを複数備え、前記制御処理部が各々の前記人感知センサーからの反応に前記複数のサウンドメッセージを対応させて出力するように構成したことを特徴とする請求項１又は２記載の監視用ダミーカメラ。
【請求項４】
日時及び計時が可能なカレンダー付きの時計機能を有する日時発生部を備え、前記制御処理部が前記日時発生部からの日時情報と前記人感知センサーからの反応に基づいて所定のサウンドメッセージを出力するように構成したことを特徴とする請求項１〜３の何れか１項記載の監視用ダミーカメラ。
【請求項５】
前記サウンド出力手段は、前記ダミーカメラ本体のレンズ装着位置に配置されていることを特徴とする請求項１〜４の何れか１項記載の監視用ダミーカメラ。
【請求項６】
前記人感知センサーは、前記ダミーカメラ本体のレンズ装着位置に配置されていることを特徴とする請求項１〜４の何れか１項記載の監視用ダミーカメラ。
【発明の詳細な説明】
【技術分野】
【０００１】
本発明は、人の存在を感知し、その反応に基づいて音声や警報音によるサウンドメッセージを出力する機能を備えた監視用ダミーカメラに関するものである。
【背景技術】
【０００２】
ダミーカメラは、本物のカメラに似た形状をしており、その外観からあたかも撮影しているかのように見せる模造品のことを言う。
ダミーの監視カメラを設置する目的は、数多くの監視カメラを設置すると費用がかかるので、一部をダミーの監視カメラに置き換え、全て本物の監視カメラが設置され監視していると思わせることにより、いたずらや犯罪を抑止ことにある。
一般にダミーカメラは、本体にＬＥＤを設けて点灯や点滅をさせたり、回転台に設置させたりするなどして、ダミーカメラが動作して本当に撮影しているかのように見せ、視覚的な観点から出来る限りそれが偽物と見破られないように工夫されている。
これに関連する先行技術として、特許文献１がある。この特許文献１には本体に赤外照射を含む照明器を内蔵したダミーカメラが開示されている。このダミーカメラは、昼問はそれ自身の外観から監視カメラとしてあたかも監視しているかのように見せ、夜間は照明器として動作し、他の監視カメラの撮影範囲を赤外照射するように構成されている。
この他に、特許文献２、特許文献３があり、いずれも視覚的にあたかも監視カメラが動作しているかのように見せる工夫が開示されている。
【０００３】
【特許文献１】特開平５−２５２４２８号公報
【特許文献２】特開２００２−３２８７１号公報
【特許文献３】特開平７−２３９５１８号公報
【発明の開示】
【発明が解決しようとする課題】
【０００４】
しかし、上記のように外観だけを似せたダミーの監視カメラはそれ自身が動作や機能をしないため、ダミーの監視カメラが本物の監視カメラと認識されにくく、偽物と見破られてしまうことも往々にしてある。そのため、外観だけでなく別の感覚、例えば聴覚の観点からあたかも監視カメラが動作しているように認識させる工夫も必要であり、それを上記の外観を似せたダミー監視カメラと本物の監視カメラとを組合せれば、これらを設置することによる犯罪等の抑止効果がより顕著なものになると思う。
【０００５】
本発明は上記のような背景から創作されたものであり、その目的はダミーカメラとしての機能を発揮するために、従来とは別の観点からアプローチしたものであり、ダミーカメラ本体にサウンド出力機能を設け、聴覚的にあたかも動作しているかのように認識させる監視用ダミーカメラを提供することにある。
【課題を解決するための手段】
【０００６】
上記課題を解決するため次のような手段を採用した。
請求項１記載の監視用ダミーカメラは、ダミーカメラの本体に、人の存在を感知する人感知センサーと、所定のサウンドメッセージを登録し再生するサウンドユニット及びサウンド出力手段と、前記人感知センサーの反応に基づいて前記サウンドユニット及びサウンド出力手段をコントロールしてサウンドメッセージを出力させる制御処理部とを備えたことを特徴としている。
なお、サウンドメッセージとしては、音声のほかに警報音等の非音声も含むものである。
【０００７】
請求項２記載の監視用ダミーカメラは、ダミーカメラの本体に、人の存在を感知する人感知センサーと、所定のサウンドメッセージを登録し再生するサウンドユニット及びサウンド出力手段と、前記人感知センサーの反応に基づいて前記サウンドユニット及びサウンド出力手段をコントロールしてサウンドメッセージを出力させる制御処理部とを備え、かつダミーカメラ本体の外部の所定位置に前記制御処理部と接続された外部センサーを有することを特徴としている。
【０００８】
請求項３記載の監視用ダミーカメラは、請求項１又は２記載の発明において、前記人感知センサー及びサウンドメッセージを複数備え、前記制御処理部が各々の前記人感知センサーからの反応に前記複数のサウンドメッセージを対応させて出力するように構成したことを特徴としている。
【０００９】
請求項４記載の監視用ダミーカメラは、請求項１〜３記載の発明において、日時及び計時が可能なカレンダー付きの時計機能を有する日時発生部を備え、前記制御処理部が前記日時発生部からの日時情報と前記人感知センサーからの反応に基づいて所定サウンドメッセージを出力するように構成したことを特徴としている。
【００１０】
請求項５記載の監視用ダミーカメラは、請求項１〜４の何れか１項記載の発明において、前記サウンド出力手段は、前記ダミーカメラの本体のレンズ装着位置に配置されていることを特徴としている。
【００１１】
また、請求項６記載の監視用ダミーカメラは、請求項１〜４の何れか１項記載の発明において、前記人感知センサーは、前記ダミーカメラの本体のレンズ装着位置に配置されていることを特徴としている。
【発明の効果】
【００１２】
請求項１の発明によれば、監視用ダミーカメラに人が近づくと、センサーが感知して監視用ダミーカメラから直接音声が発話されたり或いは警報音が鳴ったりすることにより、単に監視カメラが設置されて動作しているよりも監視されているということを強く印象付け、犯罪抑止効果が大きく期待できる。
【００１３】
請求項２の発明によれば、請求項１の発明に加え、ダミーカメラ本体から離れた位置にも外部センサーが配置されているので、請求項１の発明の効果のほかに、例えば非常事態にはこの外部センサーを駆動させてセンサー信号を入力させ、事前にダミーカメラ本体に登録されている非常事態に対応した音声メッセージで人を誘導したり、あるいは防犯警報音による警報を出すことも可能となる。
【００１４】
請求項３記載の発明によれば、人を感知するセンサーを複数使用することにより、各センサーに複数のサウンドメッセージを対応させることが可能となり、感知したセンサーに対応したサウンドメッセージを出力することができる。また、センサーを２組使用することで、人の動きの方向を判別することが可能となり、２種類のサウンドメッセージを事前に登録しておくことで、入退出に応じて２種類のサウンドメッセージを出力させることができる。
【００１５】
請求項４記載の発明によれば、予め複数のサウンドメッセージを登録しておき、人を感知した時間や日にちで異なるメッセージの発話や音等が可能となる。
【００１６】
請求項５記載の発明によれば、サウンド出力手段がダミーカメラの本体のレンズ装着位置に配置されているので、ダミーカメラ正面を人が移動する方向又は居る方向に向けておくことで、サウンドが聞き取りやすくなり、人に注意を喚起し易くなる。
【００１７】
請求項６記載の発明によれば、人感知センサーがダミーカメラの本体のレンズ装着位置に配置されているので、ダミーカメラ正面を人が移動する方向又は居る方向に向けて設置することが容易となり、かつ人を感知する感度に優れたものとなる。
【発明を実施するための最良の形態】
【００１８】
（第１の実施形態）
本実施の形態に係る監視用ダミーカメラ３０は、図２、図３、図４に示すような外観が形成されており、ダミーカメラの本体３０ａには、図１に示すように、人の存在を感知する人感知センサー８と、所定のサウンドメッセージを登録し再生するサウンドユニット１、２、３及びサウンド出力手段４、５と、前記人感知センサー８の反応に基づいて前記サウンドユニット及びサウンド出力手段をコントロールしサウンドメッセージを出力させる制御処理部６とを備えている。
【００１９】
図２に示す監視用ダミーカメラ３０は、ダミーカメラ３０の正面レンズ部にスピーカー５が、底面に人感知センサー８が配置されており、図３に示す監視用ダミーカメラ３０は、ダミーカメラ本体３０ａの側面にスピーカー５が、正面レンズ部に人感知センサー８が配置されていて、図４に示す監視用ダミーカメラ３０は正面レンズ部にダミーレンズが、側面にスピーカー５が、底面に人感知センサー８が配置されたものである。
【００２０】
人感知センサー８が単体（１個）の場合の具体的回路を、図１に示すが、図において符号１はパソコン等とインターフェースを取り、パソコン等で作成したサウンドデータを受け入れるサウンドデータＩ／Ｆ部、２はパソコン側から前記サウンドデータＩ／Ｆ部１を介して転送されたサウンドデータを内部ＲＯＭに記憶し、サウンドメッセージを出力する時に内部ＲＯＭに記憶されているサウンドデータを取り出す回路となるサウンドデータ記録部、３はサウンドデータ記録部２から取り出したサウンドデータをサウンド合成処理により人間の音声信号に変換したり、あるいは警報音等に合成して出力するサウンド生成部である。
【００２１】
また、４はサウンド生成部３から出力されたサウンド信号をスピーカー５が駆動できるレベルにまで増幅するサウンド増幅部、６は人感知センサー８からの信号や操作スイッチ部１３における設定状態を受けてサウンドメッセージの発話等の制御を行う制御処理部、７は人感知センサー８からの信号を受けて人検知の有無のデジタル信号を出力する人感知センサー処理部、９はＬＥＤ等の表示デバイスを駆動するための表示Ｉ／Ｆ部である。なお、スイッチ部１３はサウンドメッセージの設定等の切り替えを行うためのスイッチである。
【００２２】
更に、１０は１次電池又は２次電池を使用し、２次電池の場合はトリクル充電が行われるバッテリー電源部、１１は停電等でＡＣ電源が断した時にバッテリー電源部１０側に切り替えて出力するとともにＡＣが復帰した時はバッテリー電源部１０からＡＣ−ＤＣ電源部１２側に切り替えるＤＣ電源／バッテリー電源切替部である。  
【００２３】
次に、この人感知センサー８が単体の場合の操作及び動作について更に説明する。
パソコン等で予め出力するサウンドメッセージのデータを複数作成し、ダミーカメラ本体３０ａのサウンドデータＩ／Ｆ部１を通してサウンドデータ記録部２に記憶させておく。設置場所に応じて適当なサウンドメッセージを操作スイッチ部１３で切り替えて選択する。サウンドデータが記憶されたダミーカメラ本体３０ａを、人感知センサー８は出入口付近や人の動きを検知できるところに、スピーカ５は人が聞き取り易い方向に向けて、通常の監視用カメラを設置するように、カメラ取付金具を使用して設置し、電源を投入して待機する。
【００２４】
人感知センサー８により人が検知されると、人感知センサー処理部７でデジタル信号に変換して制御処理部６に出力する。制御処理部６は人検知信号を受けて制御信号を出力することによりサウンドデータ記録部２に記憶されているサウンドデータを読み出し、サウンド生成部３でサウンド信号に変換してサウンド増幅部４でサウンド信号を増幅しスピーカー５から音声や警報音等のサウンドを出力する。
また、表示Ｉ／Ｆ部９を通して表示ＬＥＤが点灯し、人感知センサー８の動作状態を表示する。
【００２５】
ダミーカメラ本体３０ａで使用するＤＣ電源は、商用電源からＡＣ−ＤＣ電源部１２でＤＣに変換し、ＤＣ電源／バッテリ電源切替部１１を通ってＤＣ電源として供給されるが、もしＡＣ電源が停電等により断すると、ＤＣ電源部／バッテリー電源切替部１１でバッテリー電源部１０に切り替えて出力する。停電が復帰すると、ＤＣ電源部／バッテリー電源切替部１１で再びＡＣ−ＤＣ電源部１２に切り替えてＤＣを出力するように構成されている。
【００２６】
なお、図２に示すように、ダミーカメラ３０の正面レンズ部にスピーカー５を、底面に人感知センサー８を配置した場合、ダミーカメラ正面を人が移動する方向又は居る方向に向けておくことで、音声や警報音が聞き取りやすくなり、人に注意を喚起し易くなる。また、図３に示すように、人感知センサー８がダミーカメラ本体３０ａのレンズ装着位置に配置した場合、ダミーカメラ正面を人が移動する方向又は居る方向に向けて設置することが容易となり、かつ人を感知する感度に優れたものとなる。また、図４に示すように、人感知センサー８をダミーカメラ本体３０ａの底面に、スピーカー５を側面に配置して、正面にダミーレンズを装着することにより、更に本物の監視カメラではないかと思わせることができる。
【００２７】
（第２の実施の形態）
次に、ダミーカメラ本体３０ａに複数個の人感知センサー８が設置され、かつ外部センサーをも備えた監視用ダミーカメラ３０について説明する。なお、先に示した人感知センサー８が単体の場合と同じ部分には同一符号を付す。
ダミーカメラの本体３０ａには、図５に示すように、人の存在を感知する複数個の人感知センサー８と、所定のサウンドメッセージを登録し再生するサウンドユニット１４、１５、３及びサウンド出力手段４、５と、前記人感知センサー８の反応に基づいて前記サウンドユニット及びサウンド出力手段をコントロールしサウンドメッセージを出力させる制御処理部６と、日時発生部１６及び外部センサＩ／Ｆ部１７を備えている。
【００２８】
人感知センサー８が複数個の場合の具体的回路を、図５に示すが、図において、符号１４は、パソコン等とインターフェースを取り、パソコン等で作成したサウンドデータと複数の人感知センサー８や外部センサー１８、さらには日時と対応付けしてサウンドメッセージを選択するサウンド・管理データＩ／Ｆ部である。
１５は、パソコン側から転送されたサウンド・管理データを一度ＲＯＭ内に記憶し、管理データを日時と対応付けして呼び出し、呼び出した管理データにそってサウンドデータを選択して取り出すサウンド・管理データ記録部である。
１６は、日時計時が可能なカレンダー機能付きの時計で、現在の日時データを出力する日時発生部である。
１７は、外部センサー押しボタンスイッチ等からの接点信号を受け、ノイズ等を除去したデジタル信号を出力する外部センサーＩ／Ｆ部である。
１８は、外部センサーまたは押しボタンスイッチ等である。
【００２９】
次に、上記のように、人感知センサー８が複数個で、外部センサー１８が接続され、かつ時計機能を有する監視用ダミーカメラ３０の操作及び動作について説明する。
先ず、パソコン等で予め出力する音声等のサウンドメッセージのデータと、日時に応じてどのメッセージを選択するかプログラムした管理データを複数作成し、ダミーカメラ本体３０ａのサウンド・管理データＩ／Ｆ部１４を通してサウンド・管理データ記録部１５のＲＯＭに記憶させておく。設置場所に応じて適切なサウンドメッセージと管理データを操作スイッチ部１３で切り替えて選択する。
【００３０】
サウンドデータ及び管理データが記憶されたダミーカメラ本体３０ａを、人感知センサー８は出入り口付近や人の動きを検知できるところに、スピーカー５はスピーカーの音を聞き取れる方向に向けて通常の監視カメラを設置する場所にカメラ取付金具を使用して設置し、電源を投入して待機する。
人感知センサー８により人が検知されると、人感知センサー処理部７でデジタル信号に変換して制御処理部６に出力する。制御処理部６は人検知信号を受けて制御信号を出力することによりサウンド・管理データ記録部１５から日時でサウンドデータを選択する管理データを読み出し、日時発生部１６からの日時情報を取り込んで、該当するサウンドデータをサウンド・管理データから読み出す。
【００３１】
読み出したサウンドデータからサウンド生成部３でサウンド信号等に変換して、サウンド増幅器４でサウンド信号を増幅してスピーカー５から音として出力する。
外部センサー１８によりセンサー信号が入力されると、外部センサＩ／Ｆ部
１７を通して制御処理部６に入力され、人感知センサー８で人を検知すると同様にサウンドを出力する。外部センサー１８を使用して、非常事態用の音声メッセージや警報音を出力する場合、パソコン等で予めプログラムする管理データに特定のセンサー入力に対する特定のサウンドメッセージを関連付けさせて優先度を加えて作成し登録しておく。優先度を設定するのは、同時に複数のセンサーが反応する場合を考慮したものである。
【００３２】
上記のように構成したので、例えば人感知センサー８を２組使用して、人の動きの方向つまり入退出を判別することで、事前に登録した２種類の例えば音声メッセージを（「いらっしゃいませ」と「有り難うございました」等）を出力することができる。また、非常事態には最優先された専用のセンサー信号を押しボタンスイッチにより入力し、事前に登録された非常事態に対応した例えば音声メッセージ（「出口はこちらです」等）で誘導したり、防犯警報音による警報を出すこともできる。
【００３３】
時計機構により、人を感知した時間や日にちによって、複数のメッセージから選択して発話するメッセージを登録しておけば、店舗の開店時は「御来店まいど有り難うございます」、閉店時には「またの御来店をお待ちしています」、店舗の定休日には「本日は定休日です」と異なるメッセージの発話が可能となる。なお、第１の実施の形態の場合でも、時計機構を組み込めば、同様の効果を得ることができる。
【産業上の利用可能性】
【００３４】
本発明による監視用ダミーカメラは、スーパーマーケット等の店舗や種々の工場など本物の監視カメラと併用して利用することができる。
【図面の簡単な説明】
【００３５】
【図１】本発明に係る監視用ダミーカメラの電気回路ブロック図である。
【図２】監視用ダミーカメラの一例の外観図である。
【図３】監視用ダミーカメラの他の例の外観図である。
【図４】同じく監視用ダミーカメラの他の例の外観図である。
【図５】本発明に係る監視用ダミーカメラの他の電気回路ブロック図である。
【符号の説明】
【００３６】
１        サウンドデータＩ／Ｆ部
２        サウンドデータ記録部
３        サウンド生成部
４        サウンド増幅部
５        スピーカー
６        制御処理部
７        人感知センサー処理部
８        人感知センサー
９        表示Ｉ／Ｆ部
１０      バッテリー電源部
１１      ＤＣ電源／バッテリー電源切替部
１２      ＡＣ−ＤＣ電源部
１３      操作スイッチ部
１４      サウンド・管理データＩ／Ｆ部
１５      サウンド・管理データ記録部
１６      日時発生部
１７      外部センサーＩ／Ｆ部
１８      外部センサー
３０      監視用ダミーカメラ
３０ａ    ダミーカメラ本体
【図１】
2009181377.tif 000003
【図２】
2009181377.tif 000004
【図３】
2009181377.tif 000005
【図４】
2009181377.tif 000006
【図５】
2009181377.tif 000007